(57)【要約】      （修正有）【課題】消防隊員などが一般火災の消火活動時等に着用する防火服において、袖口からの熱水が内衣の内部に浸み上がることを防止し、着衣者の焼けどなどの負傷を防止するようにした防火服上着における袖口の改良構造を提供する。【解決手段】上着の外衣と内衣とによって構成され、上着の外衣と内衣との本体部にそれぞれ装着される筒状の左，右袖２７の左，右袖口端部を、それぞれ連結筒体４０を介して互いに連結するとともに、内衣の左，右袖口端部にはそれぞれ内の内面に装着された筒状の断熱筒体４４及び浸み上がり防止筒体４３を設け、浸み上がり防止筒体４３の先端部にはジャージなどの弾性素材からなる筒状袖口部２９を設ける。【選択図】図３
0003168251.tif 000002
【実用新案登録請求の範囲】
【請求項１】
上着の外衣と内衣とによって構成される防火服の上着において、前記上着の外衣と内衣との本体部にそれぞれ装着される筒状の左，右袖の左，右袖口端部を、それぞれ連結筒体を介して互いに連結するとともに、前記内衣の左，右袖口端部にはそれぞれ内衣の内面に装着された筒状の断熱筒体及び浸み上がり防止筒体を設け、前記浸み上がり防止筒体の先端部にはジャージなどの弾性素材からなる筒状袖口部を設けたことを特徴とする防火服上着における袖口の改良構造。 
【請求項２】
前記上着の外衣と内衣の本体部にそれぞれ装着される筒状の左,右袖の袖口端部に配設された連結筒体を、長手方向の一定位置で着脱自在な連結部を介して分離可能としたことを特徴とする請求項１記載の防火服上着における袖口の改良構造。
【請求項３】
前記着脱自在な連結部は、面ファスナー又はホックであることを特徴とする請求項１又は２に記載の防火服上着における袖口の改良構造。
【請求項４】
前記浸み上がり防止筒体は、難燃性繊維にフッ素樹脂にポリウレタン樹脂からなる透湿防水性フィルムを接着した防水性を有する布地で構成されたものであることを特徴とする請求項１〜３のいずれかに記載の防火服上着における袖口の改良構造。
【請求項５】
前記浸み上がり防止筒体は、難燃性繊維にアルミ粉末混入の難燃ゴム引き加工などの防水処理を施した防水性を有する布地で構成されたものであることを特徴とする請求項１〜３のいずれかに記載の防火服上着における袖口の改良構造。
【請求項６】
前記浸み上がり防止筒体は、７０重量%以上が芳香族ポリアミド繊維からなる糸条により構成されている織物に、カーボンブラックを含有する芳香族ポリアミド繊維からなる糸条が、経糸及び緯糸として格子状に織り込まれた耐熱性織物を表面層とし、更に透湿防水性フィルムと難燃繊維布帛からなる中間層と、難燃繊維布帛からなる遮熱層とを積層した積層構造体からなる防水性を有する布地によって構成されたものであることを特徴とする請求項１〜３のいずれかに記載の防火服上着における袖口の改良構造。                            
【考案の詳細な説明】
【技術分野】
【０００１】  この考案は、消防隊員などが一般火災の消火活動時等に着用する防火服の改良に係り、特に、防火服上着における袖口を改良することで袖口からの熱水が内衣の内部に浸み上がることを防止し、着衣者の焼けどなどの負傷を防止するようにした防火服上着における袖口の改良構造に関する。
【背景技術】
【０００２】  従来、防火服の上着として、左，右前身頃および後身頃を有する本体部に左，右袖を取付けた外衣と内衣とを備え、外衣の本体部裏面に内衣の本体部を面ファスナーあるいはホックなどにより着脱可能に保持させ、外衣の左，右袖内に内衣の左，右袖を着脱可能に重ね着して、互いに分離可能としたもの、或いは外衣と内衣とを縫製によって一体に固定し分離不能としたものが一般に用いられている。  そして、外衣はアラミド繊維などの断熱性に優れた難燃繊維生地またはアラミド繊維の上面にアルミニウムの蒸着を施した非通気牲の生地を使用することで、耐炎性を向上させ、内衣は、耐熱性、断熱性のすぐれた透湿性を有する防水生地を用いて構成しているのが一般的であり、改良された消防服として、本件出願人が先に特開平８−３３７９０５.号、特開平９−１３２０８号として提供したものがある。【０００３】  また、前述のような外衣と内衣とを組み合わせて構成した防火服にあっては、外衣の左，右袖内に内衣の左，右袖を重ね合わせる構成であるため、外衣の左，右袖と内衣の左，右袖との間の隙間を通って、裾口部より火の粉の侵入、熱の侵入、水の浸入、薬剤の侵入があるためこれを防止するために、本出願人が先に特開平２０００−４５１１３号及び実用新案登録第３１３２９５７号として提供した防火服がある。【０００４】  即ち、図４に示すように、内衣の左，右袖１０外周面の袖□端部１１近くに難燃性の網状体で通気性を有する左，右連通筒１２の基端部をそれぞれ連結し、左，右袖１０の袖口端部１１には先端側に突出するジャージなどの弾性素材で構成された拡径可能な左，右袖口筒１３を２重に折り返して連結し、左，右連通筒１２の先端と、外衣１４の左，右袖１５の先端部に設けた筒状の袖口筒状部１６とを、これらの周方向全体にわたって、袖口用ベルベット式ファスナー１７によって着脱自在に連結した構成のものが提案されている。
【先行技術文献】
【特許文献】
【０００５】
【特許文献１】特開平８−３３７９０５号公報
【特許文献２】特開平９−０１３２０８号公報
【特許文献３】特開平２０００−４５１１３号公報
【特許文献４】実用新案登録第３１３２９５７号公報
【考案の概要】
【考案が解決しようとする課題】
【０００６】  以上のように、従来の防火服の上着における内衣の袖口端部１１にあっては、左，右袖１０の連通筒１２から先端側に突出するジャージなどの弾性素材によって形成される拡径可能な左右袖口筒１３を、内,外２重に折り返して連結し、左，右袖筒１２の先端部と、外衣１４の左，右袖１５の先端部に設けた袖口筒体１６とを、これらの周方向全体にわたって、袖口用ベルベット式ファスナー １７によって着脱自在に連結してあるため、内衣１１と外衣１４のそれぞれの左，右袖の連結を簡単に外すことが可能であり、外衣１４と内衣１１とを互いに分離することができる構造としてある。【０００７】  しかしなから、防火服の上着の長年の使用に伴い、外衣１４の表面布地と違って、耐久性の劣る弾性素材生地で成形された内衣１１の左，右袖１０の連通筒１２から先端側に突出させて縫製したジャージなどの拡径可能な左，右袖筒１３は、何回もの使用中に伸び切ってしまったり、破けたりして本来の縮径可能な袖口としての機能が失われてしまう結果となっている。特に，拡径したジャージなどで構成した左，右袖筒１３から、散水霧或いは熱水が内衣の内面側に徐々に浸入し、使用者の上腕部に到達してしまい焼けどなどの負傷をするなど、作業中に思わぬ事故のもとになる恐れがある。【０００８】  従って、この考案では防火服の上着において、前記上着の外衣と内衣の本体部にそれぞれ装着される筒状の左右の袖口端部を筒状の防水機能を有する連結筒体を介して互いに連結すると共に、前記内衣の袖口端部内面側には熱水の浸み上がりを防水する防水布で形成した熱水の浸み上がり防止筒体の先端部を装着し、更に前記浸み上がり防止筒体の後端部には断熱布で形成した断熱筒体を連接した構成として、前記浸み上がり防止筒体を取り付けた内衣の先端部にはジャージなどの弾性素材からなる筒状袖口部を外衣の袖口先端部より僅かに突出した状態に設けた構成とすることで、左，右袖口部の先端より内衣の内面部に散水霧或いは熱水などの浸入を防止可能とした防火服上着における袖口の改良構造を提供することを目的とするものである。
【課題を解決するための手段】
【０００９】  上記目的を達成するために、請求項１の考案は上着の外衣と内衣とによって構成される防火服の上着において、前記上着の外衣と内衣との本体部にそれぞれ装着される筒状の左，右袖の左，右袖口端部を、それぞれ連結筒体を介して互いに連結するとともに、前記内衣の左，右袖口端部にはそれぞれ内衣の内面に装着された筒状の断熱筒体及び浸み上がり防止筒体を設け、前記浸み上がり防止筒体の先端部にはジャージなどの弾性素材からなる筒状袖口部を設けたことを特徴とする。【００１０】請求項２の考案は、請求項１記載の防火服上着における袖口の改良構造において、前記上着の外衣と内衣の本体部にそれぞれ装着される筒状の左，右袖の袖口端部に配設された連通筒体を、長手方向の一定位置で着脱自在な連結部を介して分離可能としたことを特徴とする。【００１１】  請求項３の考案は、請求項１又は請求項２に記載の防火上着における袖口の改良構造において、前記着脱自在な連結部は面ファスナー又はホックで形成されていることを特徴とする。【００１２】  請求項４の考案は、請求項１〜請求項３のいずれかに記載の防火上着における袖口の改良構造において、前記浸み上がり防止筒体は、難燃性繊維にフッ素樹脂にポリウレタン樹脂からなる透湿防水性フィルムを接着した防水性を有する布地で構成されたものであることを特徴とする。【００１３】  請求項５の考案は、請求項１〜請求項３のいずれかに記載の防火上着における袖口の改良構造において、前記浸み上がり防止筒体は、難燃性繊維にアルミ粉末混入の難燃ゴム引き加工などの防水処理を施した防水性を有する布地で構成されたものであることを特徴とする。【００１４】  請求項６の考案は、請求項１〜請求項３のいずれかに記載の防火上着における袖口の改良構造において、前記浸み上がり防止筒体は、７０重量%以上が芳香族ポリアミド繊維からなる糸条により構成されている織物に、カーボンブラックを含有する芳香族ポリアミド繊維からなる糸条が、経糸及び緯糸として格子状に織り込まれた耐熱性織物を表面層とし、更に透湿防水性フィルムと難燃繊維布帛からなる中間層と、難燃繊維布帛からなる遮熱層とを積層した積層構造体からなる防水性を有する布地によって構成されたものであることを特徴とする。
【考案の効果】
【００１５】本考案の防火服上着における袖口の改良構造によれば、防火服の上着の長年の使用に伴い、外衣の表面布地と違って、耐久性の劣る弾性素材からなる生地で成形された左,右袖口筒の構成を、前記上着の外衣と内衣の本体部にそれぞれ装着される筒状の左右の袖口端部を筒状の防水機能を有する連結筒体を介して互いに連結すると共に、前記内衣の袖口端部内面側には熱水の浸み上がりを防水する防水布で形成した熱水の浸み上がり防止筒体の先端部を装着し、更に前記浸み上がり防止筒体の後端部には断熱布で形成した断熱筒体を連接した構成として、前記浸み上がり防止筒体を取り付けた内衣の先端部にはジャージなどの弾性素材からなる袖口部を外衣の袖口先端部より僅かに突出した状態に設けた構成としたことで、左，右袖口部の先端より内衣の内面部に熱水の浸入が防止可能となり、左，右袖口部先端より内衣の内面部に熱水の浸入を防止可能とし、使用者の上腕部に到達してしまうことでおきる焼けどなどの負傷を未然に防止できる効果を奏する。
【図面の簡単な説明】
【００１６】
【図１】この考案の実施例に係る防火服の上着における袖口の改良構造を示し、外衣と内衣とで構成される防火服の上着の正面図である。
【図２】同じく袖口部分を示す要部拡大正面図である。
【図３】同じく袖口部分を示し、外衣と内衣の袖口部分の要部の拡大断面図である。
【図４】は従来の防火服における上着の袖口部を断面して示す要部拡大断面図である。
【考案を実施するための最良の形態】
【００１７】以下、この考案の防火服上着における袖口の改良構造の実施例について、図面を参照して詳細に説明する。【００１８】図中、２０は防火服の上着であって、該上着２０は、外衣２１と内衣２２とから構成されており、外衣２１は、左,右前身頃２３、後身頃２４、左，右肩布２５、衿２６と、外衣２１の左，右袖２７、および内衣２２の左，右袖２８と、前記内衣２２の左，右袖２８の先端側に突出するジャージ布により織製された左，右袖口部２９と、左，右まち部３０、左，右見返し３１、前当て布３２等により本体部３３が形成されており、この本体部３３にポケット３４、これらのフラップ ３４ａ、ベルト返し用のループ部３５が取り付けられると共に、外衣の本体部３３及び左，右袖２７には反射シート３６が付加されて構成されたものである。【００１９】  前記防火服の上着２０は、アルミナイズドされたポリペンゾオキサゾール（PB O）繊維から構成される表地とフッ素多孔質フィルムをアラミド繊細からなる布帛に加工した中間地と、アラミド繊維混紡の不織布とアラミド繊維からなる布帛をキルティングした裏地とが使用されている。【００２０】  前記外衣２１の内側に重ねる内衣２２は、図示しない左，右前身頃と後身頃とを縫い付けて本体部を構成し、本体部の上部左，右両側に袖ぐりを形成し、これらの袖ぐりの周縁部には、左，右袖２８の基端部を周方向の大部分に左，右まち部を介して連結してある。【００２１】  この考案では、前記内衣２２の本体部と外衣２１の本体部３３とを内,外に重ねると共に、内衣２２の左，右袖２８を外衣２１の左，右袖２７内にそれぞれ嵌め、内衣２２を外衣２１に対し図３に示すように連結してある。  すなわち、内衣２２の左，右前身頃の下端部より対向側縁および後身頃の上縁部と、外衣２１の左，右前見返し３１の下端部より上の対向側部および後見返しの下縁部とを、一体に内衣２２の本体部を外衣２１の本体部３３に縫製してある。【００２２】  また、図３に示すように、前記上着２０の外衣２１の本体部３３にそれぞれ装着される筒状の左，右袖２７、２７と、内衣２２の本体部にそれぞれ装着される筒状の左，右袖２８、２８の袖部先端部２７ａ，２７ａ、２８ａ，２８ａの隙間を閉塞するために、防水性を有する布地あるいは樹指製繊維生地などにより形成された筒状の左，右連結筒体４０が配設されている。【００２３】  前記左，右連結筒体４０の先端部４１は、前記外衣２１の袖□先端部２７ａ，２７ａの内面側に縫い付け固着し、前記内衣２２の袖口先端部２８ａ，２８ａの外面に後端部４２を縫い付け一体に固着してある。【００２４】  前記内衣２２の袖口内側先端部２８ａには、アラミド繊維にポリウレタン樹脂などのフッ素樹脂フィルムを接着した防水性を有する布地などにより形成された浸み上がり防止布により筒状に形成された浸み上がり防止筒体４３が縫い付けられており、浸み上がり防止筒体４３の後端部は難燃性を有し且つ断熱性を有する断熱筒体４４と互いに縫いつけられており、前記断熱筒体４４の後端部は内衣２８の後端部袖付部に縫いつけてある。前記断熱筒体４４の後端は、前記内衣２２の内面に縫い付けられている。前記防止筒体４３の先端部４３ａにはジャージなどのり弾性素材からなる筒状の袖口部２９が内外２重に折り返して連結されている。また、符号４５は前記外衣２１の袖□先端部２７ａ，２７ａの外面に取り付けられた袖口絞り込み用のベルトで、端部が面ファスナーなどで着脱自在としてある。  更に符号４６は、外衣２７の袖口内面端部を補強する細幅の補強体である。【００２５】  前記構成とすることで、防火服の長年の使用に伴って、ジャージなどの弾性素材からなる筒状の袖口部２９が破損したような場合であっても、着用中における筒状の袖口部２９から内衣の内側に侵入した熱水が浸み上がり防止筒及び断熱性の断熱筒体によって、火傷などの事故を未然に防止することが可能となる。【００２６】  なお、前記浸み上がり防止筒体を構成する生地としては、アラミド繊維などの難燃性繊維にフッ素樹脂、ポリウレタン樹脂などの透湿防水性フィルムを接着したもの、或いはアラミド繊維などの難燃性繊維にアルミ粉末混入の難燃ゴム引き加工などの防水処理を施した布地を使用することができる。【００２７】また、前記浸み上がり防止筒体を構成する生地としては、耐熱性織物生地からなり、７０重量%以上が芳香族ポリアミド繊維からなる糸条により構成されている織物に、カーボンブラックを含有する芳香族ポリアミド繊維からなる糸条が、経糸及び緯糸として格子状に織り込まれた織物生地を使用したものであり、前記耐熱性織物を表面層とし、更に透湿防水性フィルムと難燃繊維布帛からなる中間層と、難燃繊維布帛からなる遮熱層とを積層した積層構造体からなる生地を使用してもよい。【００２８】前記実施例は、外衣２１と内衣２２の袖２７，２８間に配設される連結筒体４０が、一定位置となる中間部などで分離できない一体構成となっているが、外衣２１と内衣２２の袖２７，２８間に配設される連結筒体４０が、ファスナーなどの連結部を介して分離できる構成の防火服に適用できることは勿論である。【００２９】１０  内衣の左，右袖１１  袖□端部１２  左，右連通筒１３  左，右袖口筒１４  外衣１５  外衣の左，右袖１６  袖口筒状部１７  袖口用ベルベット式ファスナー２０  防火服の上着２１  外衣２２  内衣２３  左，右前身頃２４  後身頃２５  左，右肩布２６  衿２６２７  左，右袖２８  左，右袖２９  左,右袖口筒状部３０  左，右まち部３１  左，右見返し３２  前当て布３３  本体部３４  ポケット３４ａ  フラップ ３５  ベルト返し用のループ部３６  反射シート４０  筒状の連結筒体４１  先端筒４２  後端筒４３  浸み上がり防止筒体４４  断熱筒体                       
【図１】
0003168251.tif 000003
【図２】
0003168251.tif 000004
【図３】
0003168251.tif 000005
【図４】
0003168251.tif 000006